(57)【要約】　　　（修正有）【課題】施工が容易で部品点数が少なく、かつ、一つの鞘管ホルダ本体にてサイズの異なる鞘管に対応できる鞘管ホルダを提供すること。【解決手段】水栓２側に設けた樹脂パイプ挿通用開口部１４に連通する鞘管挿入穴３２を有する状態で樹脂パイプ挿通用開口部に着脱自在に装着される鞘管ホルダ本体３３と、鞘管３０の溝３４に係合する内爪３５を内周面に有する爪リング３６と、内爪が鞘管の溝から抜けるのを防止するよう爪リングが着脱自在に装着されるとともに、鞘管ホルダ本体に着脱自在に装着される抜け止めリング３７とを備え、爪リング３６および抜け止めリング３７を貫通させた鞘管３０を鞘管挿入穴３２内に挿入した後、挿入方向とは反対の方向に爪リング３６が抜け止めリング３７に係止されるまで鞘管３０を引き戻すことにより鞘管３０が保持されるよう構成されている。【選択図】　　　　　図７
2004019771.tif 000002
【特許請求の範囲】
【請求項１】
水栓への供給流路を形成する樹脂パイプを挿通してある蛇腹状の鞘管を保持する鞘管ホルダにおいて、水栓側に設けた樹脂パイプ挿通用開口部に連通する鞘管挿入穴を有する状態で前記樹脂パイプ挿通用開口部に着脱自在に装着される鞘管ホルダ本体と、前記鞘管の溝に係合する内爪を内周面に有する爪リングと、前記内爪が前記鞘管の溝から抜けるのを防止するよう前記爪リングが着脱自在に装着されるとともに、前記鞘管ホルダ本体に着脱自在に装着される抜け止めリングとを備え、前記樹脂パイプ挿通用開口部に装着された前記鞘管ホルダ本体に前記抜け止めリングを装着するとともに、この抜け止めリングに前記爪リングを装着した状態で、前記爪リングおよび抜け止めリングを貫通させた前記鞘管を前記鞘管挿入穴内に挿入した後、挿入方向とは反対の方向に前記爪リングが前記抜け止めリングに係止されるまで前記鞘管を引き戻すことにより前記鞘管が保持されるよう構成されていることを特徴とする鞘管ホルダ。
【請求項２】
水栓への供給流路を形成する樹脂パイプを挿通してある蛇腹状の鞘管を保持する鞘管ホルダにおいて、水栓側に設けた樹脂パイプ挿通用開口部に連通する鞘管挿入穴を有する状態で前記樹脂パイプ挿通用開口部に連設される鞘管ホルダ本体と、前記鞘管の溝に係合する内爪を内周面に有する爪リングと、前記内爪が前記鞘管の溝から抜けるのを防止するよう前記爪リングが着脱自在に装着されるとともに、前記鞘管ホルダ本体に着脱自在に装着される抜け止めリングとを備え、前記鞘管ホルダ本体に前記抜け止めリングを装着するとともに、この抜け止めリングに前記爪リングを装着した状態で、前記爪リングおよび抜け止めリングを貫通させた前記鞘管を前記鞘管挿入穴内に挿入した後、挿入方向とは反対の方向に前記爪リングが前記抜け止めリングに係止されるまで前記鞘管を引き戻すことにより前記鞘管が保持されるよう構成されていることを特徴とする鞘管ホルダ。
【請求項３】
前記抜け止めリングおよび爪リングは、外径の異なる鞘管に合った大きさをそれぞれ有するよう、外径の異なる鞘管の数だけ用意されている請求項１または請求項２に記載の鞘管ホルダ。
【発明の詳細な説明】
【０００１】
【発明の属する技術分野】
この発明は、鞘管ホルダに関する。
【０００２】
【従来の技術】
本出願人は、水栓への供給流路を形成する架橋ポリエチレンまたは架橋ポリブテンなどの樹脂パイプを挿通してある蛇腹状の鞘管を保持する鞘管ホルダを開発中である。
【０００３】
この鞘管ホルダは、例えば洗濯機、浄水器、食器洗い機、湯沸器等の機器の給水ホースへ給水できる水栓（水道用コンセント）に用いられている（特願２００１−０１６１４３号明細書・図面参照）。前記水道用コンセントは、水栓本体が収容されたハウジング本体を有し、また、このハウジング本体は、鞘管下流端側から突出した前記樹脂パイプの下流端と前記水栓本体に設けた接続部との接続を許容する大きさの接続開口を底部に有する一方、鞘管ホルダは、前記接続開口に連通する鞘管挿入穴を有する状態で前記底部の下面に取り付けられる鞘管ホルダ本体を有し、更に、前記鞘管の溝に係合する爪を有する係合手段と、前記鞘管の溝から前記爪が抜けないように前記係合手段を鞘管ホルダ本体に係止する抜け止め手段を有している。
【０００４】
【発明が解決しようとする課題】
しかし、前記係合手段は例えば爪リングを含む複数の部材より構成され、また、前記抜け止め手段の取り付け作業が複雑である上に、鞘管ホルダ本体自体も前記底部にねじ止めにより取り付けられているので、施工に手間がかかるとともに、サイズの異なる鞘管に対応するために、二組の鞘管ホルダ本体、係合手段および抜け止め手段を用意する必要があった。
【０００５】
この発明は上述の事柄に留意してなされたもので、その目的は、施工が容易で部品点数が少なく、かつ、一つの鞘管ホルダ本体にてサイズの異なる鞘管に対応できる鞘管ホルダを提供することである。
【０００６】
【課題を解決するための手段】
上記目的を達成するために、この発明の鞘管ホルダは、水栓への供給流路を形成する樹脂パイプを挿通してある蛇腹状の鞘管を保持する鞘管ホルダにおいて、水栓側に設けた樹脂パイプ挿通用開口部に連通する鞘管挿入穴を有する状態で前記樹脂パイプ挿通用開口部に着脱自在に装着される鞘管ホルダ本体と、前記鞘管の溝に係合する内爪を内周面に有する爪リングと、前記内爪が前記鞘管の溝から抜けるのを防止するよう前記爪リングが着脱自在に装着されるとともに、前記鞘管ホルダ本体に着脱自在に装着される抜け止めリングとを備え、前記樹脂パイプ挿通用開口部に装着された前記鞘管ホルダ本体に前記抜け止めリングを装着するとともに、この抜け止めリングに前記爪リングを装着した状態で、前記爪リングおよび抜け止めリングを貫通させた前記鞘管を前記鞘管挿入穴内に挿入した後、挿入方向とは反対の方向に前記爪リングが前記抜け止めリングに係止されるまで前記鞘管を引き戻すことにより前記鞘管が保持されるよう構成されていることを特徴とする。
【０００７】
また、この発明は別の観点から、水栓への供給流路を形成する樹脂パイプを挿通してある蛇腹状の鞘管を保持する鞘管ホルダにおいて、水栓側に設けた樹脂パイプ挿通用開口部に連通する鞘管挿入穴を有する状態で前記樹脂パイプ挿通用開口部に連設される鞘管ホルダ本体と、前記鞘管の溝に係合する内爪を内周面に有する爪リングと、前記内爪が前記鞘管の溝から抜けるのを防止するよう前記爪リングが着脱自在に装着されるとともに、前記鞘管ホルダ本体に着脱自在に装着される抜け止めリングとを備え、前記鞘管ホルダ本体に前記抜け止めリングを装着するとともに、この抜け止めリングに前記爪リングを装着した状態で、前記爪リングおよび抜け止めリングを貫通させた前記鞘管を前記鞘管挿入穴内に挿入した後、挿入方向とは反対の方向に前記爪リングが前記抜け止めリングに係止されるまで前記鞘管を引き戻すことにより前記鞘管が保持されるよう構成されていることを特徴とする鞘管ホルダを提供する。
【０００８】
【発明の実施の形態】
以下、この発明の実施形態について説明する。
図１〜図９は、水栓側に設けた樹脂パイプ挿通用開口部に着脱自在に鞘管ホルダ本体を装着してあるこの発明の第１の実施形態を示す。この実施形態では水栓として、給水用の水道用コンセントを採用している。
【０００９】
まず、この実施形態で用いる水道用コンセント（特願２００１−２８４８４０号明細書・図面参照）を、図１、図２を参照しながら説明する。
【００１０】
図１、図２において、１は、水道用コンセント２のハウジングで、樹脂製である。水道用コンセント２は、壁Ｗや床あるいはパネルに設けた穴Ｈを介して設置される。前記ハウジング１は、樹脂製のハウジング本体３と、このハウジング本体３の矩形形状をした前面開口３ａを形成する周縁部７５を覆う樹脂製の枠体４を介して前面開口３ａを被覆する樹脂製のカバープレート（化粧プレート）５とより主としてなる。
更に、前記枠体４は、前面開口３ａとほぼ同じ大きさの開口４ａを有するとともに、四隅にねじ挿通孔４ｃを有する。また、前記周縁部７５は、外枠部７３と、この外枠部７３の内側より前方に突出形成された突出枠部７２とよりなるとともに、枠体４をねじ６によってハウジング本体３に固定するためのねじ孔（図示せず）を突出枠部７２の四隅に有する。
なお、前記外枠部７３は、枠体４とで最大厚みがｊ’までの壁Ｗや床あるいはパネルを挟む機能を有するもので、外形および内形が共に矩形であり、幅ｊ、厚みｔを有する。前記外枠部７３は、上板部分７３ａと下板部分７３ｂと左板部分７３ｃと右板部分７３ｄよりなる。一方、前記突出枠部７２は、前記左板部分７３ｃおよび右板部分７３ｄのそれぞれ内形側より前方に突出形成された左枠部分７２ａおよび右枠部分７２ｂと、前記下板部分７３ｂの内形側より前方に突出形成された下枠部分７２ｃとより構成され、前記最大厚みｊ’とほぼ同一の突出幅、厚みｔ’を有する。そして、水道用コンセント２が設置される壁Ｗや床あるいはパネルが前記厚みｊ’より小さな厚みを有するものであれば、不足分の厚みをスペーサ（特願２０００−１１１２０２号明細書・図面参照）で補うことができる。すなわち、前記スペーサを外枠部７３と枠体４間に介在させることで対応できる。つまり、後述する配管としての樹脂パイプ１１が接続された水栓本体１０が収容されているハウジング本体３に設けた複数のねじ穴部（図示せず）を介して壁Ｗや床あるいはパネルの裏面側に位置する間柱やブラケットにハウジング本体３がねじ止めされ、その後、前記穴Ｈを介して外枠部７３と枠体４で壁Ｗや床あるいはパネルを挟むとともに、枠体４をカバープレート５で覆うことにより水道用コンセント２は、壁Ｗや床あるいはパネルに設置できる。
なお、前記枠体４は、カバープレート４の裏面に設けた複数の爪７７に係止されており、これにより、ねじ６によってハウジング本体３に固定された枠体４にカバープレート４を取り付けることができる。
ハウジング本体３には、流入口７、流出口８、および、セラミック製の可動ディスク９ａ、固定ディスク９ｂよりなる弁体９を有する水栓本体１０と、前記流入口７と水または湯（以下単に水という）を供給するための樹脂パイプ１１とを接続する接続部１２とが収容されている。この実施形態では、継手としての接続部１２は水栓本体１０に連設されている。前記樹脂パイプ１１は、水道用コンセント２への供給流路を形成する。
【００１１】
そして、ハウジング本体３は、底部１３に樹脂パイプ挿通用開口部１４を有する。この樹脂パイプ挿通用開口部１４は、この実施形態ではＸ方向に沿って平面視ひょうたん型の形状をなす。
【００１２】
前記接続部１２は、水栓本体１０の下部に一体に連設されている内管１５および外管１６と、内管１５および外管１６間に形成される環状の配管挿入溝Ｍに挿入されている樹脂パイプ１１の外周に装着されている爪付きの割りリング１７と、袋ナット１８とよりなる。
【００１３】
更に、水道用コンセント２は、流出口８から送出可能な水の流量を調整する流量調整部材１９と、この流量調整部材１９の開閉操作を前記弁体９に伝達するための伝達機構２０と、洗濯機、浄水器、食器洗い機、湯沸器などの機器の給水ホース（図示せず）の上流端に設けられた継手部材（図示せず）が着脱自在である継手部２１とを有する。継手部２１は前記流出口８の中心軸のまわりに３６０°回転可能な状態で前記流出口８に接続されている。
【００１４】
一方、カバープレート５は流量調整部材１９および継手部２１がそれぞれ配置される二つの開口２２，２３を中央部における上下位置に有する。前記開口２２は、正面視横長の長方形である。
【００１５】
また、樹脂パイプ１１は、例えば水道用架橋ポリブテン管または水道用架橋ポリエチレン管などの耐久性に優れたもので、図６、図７、図８に示すような蛇腹状の鞘管３０の内部に収容され、前記鞘管３０によって配管経路上にガイドされるとともに保護されている。
【００１６】
以下、この発明の特徴的構成について説明する。
【００１７】
図３〜図９において、３１は、樹脂製の鞘管ホルダである。なお、図１、図２には、便宜上鞘管ホルダ３１は省略してある。前記樹脂パイプ１１は、上述したように水道用コンセント２への供給流路を形成するものである一方、鞘管ホルダ３１は、樹脂パイプ１１が挿通した蛇腹状の前記鞘管３０を保持するためのものである。
【００１８】
鞘管ホルダ３１は、ハウジング本体３の前記底部１３に設けてある前記樹脂パイプ挿通用開口部１４に連通する鞘管挿入穴３２を有する樹脂製の鞘管ホルダ本体３３と、前記鞘管３０の溝３４に係合する複数の内爪３５を内周面の上端位置に有する爪リング３６と、前記内爪３５が前記鞘管３０の溝３４から抜けるのを防止するよう前記爪リング３６が着脱自在に装着される抜け止めリング３７とを備えている。
【００１９】
前記鞘管ホルダ本体３３は、樹脂パイプ挿通用開口部１４に着脱自在に装着される。また、抜け止めリング３７は、前記鞘管ホルダ本体３３に着脱自在に装着される。そして、前記樹脂パイプ挿通用開口部１４に鞘管ホルダ本体３３を装着し、この鞘管ホルダ本体３３に前記抜け止めリング３７を装着するとともに、この抜け止めリング３７に前記爪リング３６を装着した状態で、前記鞘管３０を爪リング３６および抜け止めリング３７を貫通させて前記鞘管３０を前記鞘管挿入穴３２内に挿入し、その後、挿入方向とは反対の方向に前記爪リング３６が前記抜け止めリング３７に係止されるまで前記鞘管３０を引き戻すことにより前記鞘管３０が鞘管ホルダ３１に保持されるよう構成されている。
【００２０】
すなわち、前記鞘管ホルダ本体３３は、樹脂パイプ挿通用開口部１４の平面視形状と略同一の平面視形状を有する上方開口３２ａが形成されている上部Ａと、平面視円形形状の下方開口３２ｂが形成されている筒状の下部Ｂよりなる。
【００２１】
前記上部Ａは、前記上方開口３２ａを形成する複数個の係止片４１を有する。各係止片４１は、前記開口部１４に対して係止されるもので、係止のための外爪４０を先端に有する。この外爪４０は、係止片４１が前記開口部１４に下側から挿通された状態で、前記開口部１４の周縁における上面に係止可能なように外向きに突出して形成されている。そして、複数個の外爪４０によって、鞘管ホルダ本体３３は前記開口部１４に着脱自在に装着され得る。
【００２２】
また、前記下部Ｂは、下端から下方に連設された一対の係止片４２，４２を有する。係止片４２，４２は、１８０°の円周角を有する形で対向配置されている。各係止片４２は、抜け止めリング３７に対して係止されるもので、係止のための外爪４４を係止片４２の外周面（下部Ｂの外周面）から外側に突出した形で先端に有する。
【００２３】
前記抜け止めリング３７は、平面視において左右が円弧形状で、これらを直線で繋ぐ略楕円形状の上方開口３７ａおよび平面視円形形状の下方開口３７ｂを有する。上方開口３７ａは、下方開口３７ｂよりも大きく形成されている。４８は、下方開口３７ｂを形成する円形の内周面を有する環状部分である。Ｒは、環状部分４８の内径である。更に、抜け止めリング３７は、左右の円弧状板部４５，４５の周面部分に外爪４４が係止可能な窓４６，４６を有する。一方、前記外爪４４は、係止片４２が上方開口３７ａから抜け止めリング３７内に挿通された状態で、抜け止めリング３７の自重によって爪上面４４ａに抜け止めリング３７の窓４６，４６の上縁面４６ａ（図９参照）が当接し、窓４６，４６に対して係止可能なように外向きに突出して形成されている。このように、一対の外爪４４と窓４６，４６と抜け止めリング３７の自重とによって、抜け止めリング３７は、前記鞘管ホルダ本体３３に着脱自在に装着され得る。
例えば、対向する円弧状板部４５，４５の中心間の内径間隔Ｄと、鞘管ホルダ本体３３の下部Ｂの外径ｄとは同一長さである。
【００２４】
一方、ｒは、前記爪リング３６の内径ｒで、Ｇは、爪リング３６の外径である。前記爪リング３６の穴５０は、抜け止めリング３７の穴３７ａと異なり、同一径ｒである。前記爪リング３６は、上端に円周方向に沿った形で複数の縦型スリット９０と、上部を凹状に切欠いた切欠９１とを有し、更に、前記内爪３５が形成された上端位置の外周面に、内爪３５とは縦型スリット９０を介して交互に複数個の外爪５１を有する。縦型スリット９０と切欠９１を設けたのは、図６に示すように、内爪３５を変形し易くして鞘管３０の鞘管挿入穴３２への挿入を容易に行うためである。外爪５１は、窓４６，４６に対して係止可能なように外向きに突出して形成され、窓４６，４６の下縁面４６ｂ（図９参照）が当接する。爪リング３６は、図６に示すように、鞘管３０を鞘管挿入穴３２に挿入するときに、抜け止めリング３７の下面Ｋに当接する外向きフランジ５２を下部に有する。
【００２５】
なお、鞘管ホルダ本体３３の前記外径ｄと、抜け止めリング３７の対向する円弧状板部４５，４５の中心間の内径間隔Ｄとは共に３７ｍｍに設定されている。また、抜け止めリング３７の円弧状板部４５，４５の中心間の外径間隔Ｅは４２ｍｍで、抜け止めリング３７の環状部分４８の内径Ｒは、３１．２ｍｍである。そして、爪リング３６の外径Ｇは３１ｍｍで、爪リング３６の内径ｒは２８ｍｍである。
【００２６】
而して、樹脂パイプ挿通用開口部１４に鞘管ホルダ本体３３を装着し、この鞘管ホルダ本体３３に前記抜け止めリング３７を装着するとともに、この抜け止めリング３７に前記爪リング３６を装着する。この状態で、鞘管３０を爪リング３６および抜け止めリング３７を貫通させて前記鞘管３０を前記鞘管挿入穴３２内に挿入する。このとき、爪リング３６の内爪３５が鞘管３０に当たるので、図６に示すような状態になる。その後、鞘管３０の挿入方向とは反対の方向に前記爪リング３６が前記抜け止めリング３７に係止されるまで前記鞘管３０を引き戻すことにより図８に示すような状態になり、前記鞘管３０が鞘管ホルダ３１に保持される。
【００２７】
このように、従来用いた部品の数よりも少ない三つの部材３３，３７，３６を用い、しかも鞘管３０を鞘管挿入穴３２に挿入した後鞘管３０を引き戻すだけの容易な操作で鞘管３０を鞘管ホルダ３１に保持することができる。
【００２８】
また、図９には、前記鞘管３０よりも外径の大きな鞘管（図示せず）に対応できる抜け止めリング３７’と爪リング３６’が示されている。
【００２９】
この場合、抜け止めリング３７’と抜け止めリング３７は寸法が異なるだけで両者３７’，３７の機能は同じである。また、爪リング３６’と爪リング３６は寸法が異なるだけで両者３６’，３６の機能は同じである。そして、異なる外径を持つ鞘管の数だけ抜け止めリングと爪リングが用意されるが、共通の鞘管ホルダ本体３３を使用できるよう構成されている。各寸法は、例えば以下の通りである。
【００３０】
抜け止めリング３７’において、対向する円弧状板部４５，４５の中心間の内径間隔Ｄ’は３７ｍｍに設定されており、抜け止めリング３７の場合の前記内径間隔Ｄと同一である。また、対向する円弧状板部４５，４５の中心間の外径間隔Ｅ’は４２ｍｍに設定されており、抜け止めリング３７の場合の前記外径間隔Ｅと同一である。更に、抜け止めリング３７’の環状部分４８の内径Ｒ’は、内径Ｒよりも３ｍｍ長い３４．２ｍｍである。
【００３１】
爪リング３６’において、内径ｒ’は内径ｒよりも３ｍｍ長い３１ｍｍである。また、外径Ｇ’は外径Ｇよりも３ｍｍ長い３４ｍｍである。
【００３２】
このように、サイズの異なる鞘管に対応するために、鞘管ホルダ本体も別途用意する必要のある従来例に比して、共通の鞘管ホルダ本体３３を使用できる利点を有する。
【００３３】
図１０〜図１４は、鞘管ホルダ本体が樹脂パイプ挿通用開口部に連設されているこの発明の第２の実施形態を示す。この実施形態では水栓として、給水および給湯用の水道用コンセントを採用している。なお、図１０〜図１４において、図１〜図９に示した符号と同一のものは同一または相当物である。
【００３４】
まず、図１０〜図１２を用いて給水および給湯用の水道用コンセント６０について説明する。
【００３５】
図１０〜図１２において、給水および給湯用の水道用コンセント６０は、壁Ｗに形成された取付孔６１に壁Ｗの背面側から壁Ｗの表面側に向かう方向で、前記背面側から取付孔６１を介して取付けられる樹脂製のハウジング本体６２と、このハウジング本体６２を取付けた後ハウジング本体６２の前面外枠６２ａとで取付孔Ｗの全周縁Ｗ’を挟む取付枠部６３と、この取付枠部６３と当接する背面６４ａを有し、取付枠部６３と当接しながら、ハウジング本体６２の前面外枠６２ａ、この前面外枠６２ａに形成されるハウジング本体６２の開口部６２ｂおよび取付枠部６３を被覆する樹脂製のカバープレート６４を有する。
更に、給水および給湯用の水道用コンセント６０は、これらハウジング本体６２、取付枠部６３およびカバープレート６４と、水栓本体６５と、流量調整部６６と、洗濯機、浄水器、食器洗い機、湯沸器などの機器の給水ホース（図示せず）の上流端に設けられた継手部材（図示せず）が着脱自在である継手部６７とを有する。
【００３６】
また、前記ハウジング本体６２は、水栓本体６５と、流量調整部６６と、水栓本体６５および湯配管を接続する樹脂パイプ１１ａの先端（最下流端）６８と、水栓本体６５および水配管を接続する樹脂パイプ１１ｂの先端（最下流端）６９と、湯側の水撃緩和機構付きの逆止弁部７０と、水側の水撃緩和機構付きの逆止弁部７１とが収容される収容空間７２を有する。
【００３７】
また、前記水栓本体６５は、嵌め込み式の温度調整器（ミキシングカートリッジ）７３を収容する温度調整室（収容部）７４と、この温度調整室７４の上側（下流側）に流量調整部６６のセラミック製流量調整バルブ７５を有する。前記温度調整室７４は、水栓本体６５の壁面部６５ａによって形成されている。
【００３８】
以下、特徴的構成について説明する。
【００３９】
図１３、図１４において、ハウジング本体６２の底部８０には、水用の樹脂パイプ１１ｂが挿通する挿通用開口部８１と、湯用の樹脂パイプ１１ａが挿通する挿通用開口部８１とが形成されている。
【００４０】
一方、鞘管ホルダ３１は、樹脂パイプ挿通用開口部８１に連通する鞘管挿入穴３２を有する状態で樹脂パイプ挿通用開口部８１に連設される鞘管ホルダ本体３３と、鞘管３０の溝に係合する内爪３５を内周面に有する爪リング３６と、前記内爪３５が前記鞘管３０の溝から抜けるのを防止するよう前記爪リング３６が着脱自在に装着されるとともに、前記鞘管ホルダ本体３３に着脱自在に装着される抜け止めリング３７とを備え、前記鞘管ホルダ本体３３に前記抜け止めリング３７を装着するとともに、この抜け止めリング３７に前記爪リング３６を装着した状態（図１３参照）で、前記爪リング３６および抜け止めリング３７を貫通させた前記鞘管３０を前記鞘管挿入穴３２内に挿入した後、挿入方向とは反対の方向に前記爪リング３６が前記抜け止めリング３７に係止されるまで前記鞘管３０を引き戻すことにより前記鞘管３０が保持されるよう構成されている。
【００４１】
【発明の効果】
この発明では、施工が容易で部品点数が少なく、かつ、一つの鞘管ホルダ本体にてサイズの異なる鞘管に対応できる鞘管ホルダを提供することができる効果がある。
【図面の簡単な説明】
【図１】この発明の第１の実施形態で用いた水道用コンセントの構成説明図である。
【図２】（Ａ）は、上記実施形態で用いた水道用コンセントの正面図である。
（Ｂ）は、上記実施形態で用いた水道用コンセントにおいて化粧プレートを取り外した状態を示す正面図である。
（Ｃ）は、上記実施形態で用いた水道用コンセントのハウジング本体を示す底面図である。
【図３】上記実施形態を示す分解斜視図である。
【図４】上記実施形態における鞘管挿入前の状態を示す要部構成説明図である。
【図５】上記実施形態における爪リングを示す平面図である。
【図６】上記実施形態における鞘管挿入後の状態を示す要部構成説明図である。
【図７】上記実施形態における鞘管挿入後の状態を示す全体構成説明図である。
【図８】上記実施形態における鞘管の保持状態を示す要部構成説明図である。
【図９】上記実施形態の特徴の一つを説明するための図である。
【図１０】この発明の第２の実施形態で用いた水道用コンセントの正面図である。
【図１１】上記第２の実施形態で用いた水道用コンセントにおいて化粧プレートを取り外した状態を示す正面図である。
【図１２】上記第２の実施形態で用いた水道用コンセントの構成説明図である。
【図１３】上記第２の実施形態における取り付け状態を示す構成説明図である。
【図１４】上記第２の実施形態の特徴の一つを説明するための図である。
【符号の説明】
２…水道用コンセント、１１…樹脂パイプ、１４…樹脂パイプ挿通用開口部、３０…鞘管、３１…鞘管ホルダ、３２…鞘管挿入穴、３３…鞘管ホルダ本体、３４…鞘管の溝、３５…内爪、３６…爪リング、３７…抜け止めリング。
【図１】
2004019771.tif 000003
【図２】
2004019771.tif 000004
【図３】
2004019771.tif 000005
【図４】
2004019771.tif 000006
【図５】
2004019771.tif 000007
【図６】
2004019771.tif 000008
【図７】
2004019771.tif 000009
【図８】
2004019771.tif 000010
【図９】
2004019771.tif 000011
【図１０】
2004019771.tif 000012
【図１１】
2004019771.tif 000013
【図１２】
2004019771.tif 000014
【図１３】
2004019771.tif 000015
【図１４】
2004019771.tif 000016